(57)【要約】【課題】  受信したバースト信号を正確に再生することできる小型で低消費電力の光通信装置を提供する。【解決手段】  局側装置１において、エッジ検出回路２０は、バースト信号ＢＤとクロック信号ＣＬＫの位相を比較し、それらの位相差φを示す位相差信号を出力する。制御量設定部２１は、位相差信号に基づいてバースト信号の位相を補正する必要があるか否かを判定して制御信号ＣＮＴを出力する。位相制御部２２は、制御信号ＣＮＴおよびクロック信号ＣＬＫに基づいて、バースト信号ＢＤの位相を制御してフリップフロップ２３に出力する。したがって、受信したバースト信号の位相の揺らぎが大きい場合でも、バースト信号のデータ安定部分でサンプリングされる。このため、バースト信号を正確に再生することできる。また、従来に比べて簡易な構成であり、装置の小型化および低消費電力化が実現できる。【選択図】        図２
2006148650.tif 000002
【特許請求の範囲】
【請求項１】
バースト信号を受信する光通信装置であって、
クロック信号を生成するクロック発生回路、
受信したバースト信号と前記クロック信号の位相を比較し、それらの位相差を示す位相差信号を出力するエッジ検出回路、
前記位相差信号によって示される位相差が所定の範囲内になるように位相制御量を求める制御量設定部、
前記位相制御量に基づき受信したバースト信号の位相を制御して出力する位相制御部、および
前記位相制御部の出力バースト信号を再生する制御部を備える、光通信装置。
【請求項２】
前記制御量設定部は、前記位相差信号によって示される位相差が所定の範囲内である場合は、バースト信号の位相を補正する必要がないと判定して第１のレベルの制御信号を出力し、前記位相差信号によって示される位相差が所定の範囲外である場合は、バースト信号の位相を補正する必要があると判定して第２のレベルの制御信号を出力し、
前記位相制御部は、前記制御量設定部の出力制御信号が前記第１のレベルの場合は、受信したバースト信号をそのまま通過させて出力し、前記制御量設定部の出力制御信号が前記第２のレベルの場合は、受信したバースト信号を前記クロック信号に同期させて出力する、請求項１に記載の光通信装置。
【請求項３】
前記制御部は、通信相手の過去の制御情報が記憶されたテーブルを含み、
前記制御量設定部は、通信モードがユニキャストモードである場合は、前記テーブルに記憶された制御情報に基づいて、通信相手からバースト信号を受信する前に、前記制御信号のレベルを予め設定する、請求項２に記載の光通信装置。
【請求項４】
前記制御量設定部は、前記テーブルに通信相手の過去の制御情報がある場合は、前記制御信号を過去のレベルと同じレベルに予め設定し、前記テーブルに通信相手の過去の制御情報がない場合は、前記制御信号を前記第１のレベルに予め設定する、請求項３に記載の光通信装置。
【請求項５】
前記制御量設定部は、通信モードがユニキャストモードでない場合は、通信相手からバースト信号を受信する前に、前記制御信号を前記第１のレベルに予め設定する、請求項２に記載の光通信装置。
【請求項６】
前記制御部は、バースト信号の受信エラーが発生しているか否かを判別する機能を有し、
前記制御量設定部は、前記制御部によって受信エラーが発生していないと判別された場合は、前記制御信号のレベルを予め設定されたレベルに維持し、前記制御部によって受信エラーが発生していると判別された場合は、前記位相差信号によって示される位相差に基づいて前記制御信号のレベルを設定する、請求項３から請求項５までのいずれかに記載の光通信装置。
【請求項７】
バースト信号を受信する光通信装置であって、
クロック信号を生成するクロック発生回路、
受信したバースト信号と前記クロック信号の位相を比較し、それらの位相差を示す位相差信号を出力するエッジ検出回路、
前記エッジ検出回路からの前記位相差信号を受け、前記位相差信号によって示される位相差が所定の範囲内である場合は、バースト信号の受信エラーの発生する可能性がないと判定し、前記位相差信号によって示される位相差が所定の範囲外である場合は、バースト信号の受信エラーの発生する可能性があると判定する位相判定手段を備える、光通信装置。
【発明の詳細な説明】
【技術分野】
【０００１】
この発明は、光通信装置に関し、特に、バースト信号を受信する光通信装置に関する。
【背景技術】
【０００２】
大容量のデータが伝送できるギガビットのイーサネット（登録商標）ＰＯＮ（Passive Optical Network）光システムでは、局側装置ＯＬＴ（Optical Line Terminal）と複数の加入者側装置ＯＮＵ（Optical Network Unit）との間で高速データ通信が行なわれる。局側装置と加入者側装置とを接続する光ファイバの途中に光スプリッタを設けて、伝送路を複数に分岐することによって、局側装置と光ファイバとを複数の加入者で共有できる。このため、低価格で高速な通信サービスが実現される。
【０００３】
局側装置から送信される下り信号（連続信号）は、すべての加入者側装置へ伝送され、各加入者側装置は必要な信号だけを分離して受信する。各加入者側装置は、受信した下り信号に基づいてクロック信号を生成し、生成したクロック信号に同期した上り信号（バースト信号）を局側装置に送信する。各加入者側装置から送信される上り信号が互いに衝突しないようにするため、時分割多重（ＴＤＭＡ）方式が用いられる。
【０００４】
各加入者側装置の送信部の時定数などの特性のバラツキ、各加入者側装置と局側装置とを接続する光ファイバの伝送路距離の違い、光ファイバに設けられた光スプリッタやコネクタなどに起因して、局側装置が加入者側装置から受信するバースト信号の位相が、予め想定される位置よりも前後に揺らぐことがある。さらに、ＰＯＮ光システムの通信速度は非常に高速（１．２５Ｇｂｐｓ）であるため、局側装置が受信するバースト信号の位相が揺らぐと、受信エラーが発生することがあった。
【０００５】
下記の特許文献１には、バーストデータに対して最適位相を選択して同期化させるバースト同期回路における位相選択方法が開示されている。これによると、バースト同期回路における最適位相決定の精度が向上する。
【０００６】
下記の特許文献２には、遅延回路を用いて連続的に位相制御することにより、広範囲のジッタ測定にも対応できるジッタ検出回路が開示されている。
【特許文献１】特開平１０−５６４４６号公報
【特許文献２】特開平８−１０２７６４号公報
【発明の開示】
【発明が解決しようとする課題】
【０００７】
このように、従来のＰＯＮ光システムでは、局側装置が受信するバースト信号の位相が揺らぐと受信エラーが発生し、受信したバースト信号を正確に再生できないことがあった。また、特許文献１による方法では、それぞれ位相が異なる複数のクロック信号でバーストデータをサンプリングしていたため、回路規模が大きく、消費電力が大きいという問題があった。
【０００８】
それゆえに、この発明の主たる目的は、受信したバースト信号を正確に再生することできる小型で低消費電力の光通信装置を提供することである。
【課題を解決するための手段】
【０００９】
この発明に係わる光通信装置は、バースト信号を受信する光通信装置であって、クロック信号を生成するクロック発生回路と、受信したバースト信号とクロック信号の位相を比較し、それらの位相差を示す位相差信号を出力するエッジ検出回路と、位相差信号によって示される位相差が所定の範囲内になるように位相制御量を求める制御量設定部と、位相制御量に基づき受信したバースト信号の位相を制御して出力する位相制御部と、位相制御部の出力バースト信号を再生する制御部とを備えたものである。
【００１０】
好ましくは、制御量設定部は、位相差信号によって示される位相差が所定の範囲内である場合は、バースト信号の位相を補正する必要がないと判定して第１のレベルの制御信号を出力し、位相差信号によって示される位相差が所定の範囲外である場合は、バースト信号の位相を補正する必要があると判定して第２のレベルの制御信号を出力する。位相制御部は、制御量設定部の出力制御信号が第１のレベルの場合は、受信したバースト信号をそのまま通過させて出力し、制御量設定部の出力制御信号が第２のレベルの場合は、受信したバースト信号をクロック信号に同期させて出力する。
【００１１】
また、好ましくは、制御部は、通信相手の過去の制御情報が記憶されたテーブルを含む。制御量設定部は、通信モードがユニキャストモードである場合は、テーブルに記憶された制御情報に基づいて、通信相手からバースト信号を受信する前に、制御信号のレベルを予め設定する。
【００１２】
また、好ましくは、制御量設定部は、テーブルに通信相手の過去の制御情報がある場合は、制御信号を過去のレベルと同じレベルに予め設定し、テーブルに通信相手の過去の制御情報がない場合は、制御信号を第１のレベルに予め設定する。
【００１３】
また、好ましくは、制御量設定部は、通信モードがユニキャストモードでない場合は、通信相手からバースト信号を受信する前に、制御信号を第１のレベルに予め設定する。
【００１４】
また、好ましくは、制御部は、バースト信号の受信エラーが発生しているか否かを判別する機能を有する。制御量設定部は、制御部によって受信エラーが発生していないと判別された場合は、制御信号のレベルを予め設定されたレベルに維持し、制御部によって受信エラーが発生していると判別された場合は、位相差信号によって示される位相差に基づいて制御信号のレベルを設定する。
【００１５】
この発明に係わる他の光通信装置は、バースト信号を受信する光通信装置であって、クロック信号を生成するクロック発生回路と、受信したバースト信号とクロック信号の位相を比較し、それらの位相差を示す位相差信号を出力するエッジ検出回路と、エッジ検出回路からの位相差信号を受け、位相差信号によって示される位相差が所定の範囲内である場合は、バースト信号の受信エラーの発生する可能性がないと判定し、位相差信号によって示される位相差が所定の範囲外である場合は、バースト信号の受信エラーの発生する可能性があると判定する位相判定手段とを備えたものである。
【発明の効果】
【００１６】
この発明に係わる光通信装置では、クロック信号を生成するクロック発生回路と、受信したバースト信号とクロック信号の位相を比較し、それらの位相差を示す位相差信号を出力するエッジ検出回路と、位相差信号によって示される位相差が所定の範囲内になるように位相制御量を求める制御量設定部と、位相制御量に基づき受信したバースト信号の位相を制御して出力する位相制御部と、位相制御部の出力バースト信号を再生する制御部とが設けられる。したがって、受信したバースト信号の位相の揺らぎが大きい場合でも、受信したバースト信号の位相が自動的に制御されて、バースト信号のデータ安定部分でサンプリングされる。このため、バースト信号を正確に再生することできる。また、クロック発生回路によって生成された１つのクロック信号に基づいて、受信したバースト信号の位相を制御する構成であるため、簡易な構成となり、装置の小型化および低消費電力化が実現できる。
【００１７】
この発明に係わる他の光通信装置は、クロック信号を生成するクロック発生回路と、受信したバースト信号とクロック信号の位相を比較し、それらの位相差を示す位相差信号を出力するエッジ検出回路と、エッジ検出回路からの位相差信号を受け、位相差信号によって示される位相差が所定の範囲内である場合は、バースト信号の受信エラーの発生する可能性がないと判定し、位相差信号によって示される位相差が所定の範囲外である場合は、バースト信号の受信エラーの発生する可能性があると判定する位相判定手段とが設けられる。したがって、受信したバースト信号の位相の揺らぎが大きい場合において、バースト信号のデータ不安定部分でサンプリングされるのを防止することが可能になる。
【発明を実施するための最良の形態】
【００１８】
図１は、この発明の一実施の形態によるＰＯＮ光システムの概略構成を示すブロック図である。図１において、局側装置１は、光ファイバおよび複数の光スプリッタ３−１〜３−３を介して、複数の加入者側装置２―１〜２−ｎと接続される。
【００１９】
局側装置１から送信される下り信号（連続信号）＃１〜＃ｎはすべての加入者側装置２―１〜２−ｎへ伝送され、各加入者側装置は必要な信号だけを分離して受信する。加入者側装置２―１〜２−ｎは、それぞれ受信した下り信号に基づいてクロック信号を生成し、生成したクロック信号に同期した上り信号（バースト信号）＃１〜＃ｎを局側装置１に送信する。各加入者側装置から送信される上り信号が互いに衝突しないようにするため、時分割多重（ＴＤＭＡ）方式が用いられる。
【００２０】
加入者側装置２−１〜２−ｎから局側装置１に伝送される上り信号＃１〜＃ｎの各々は、各加入者側装置の送信部における時定数などの特性のバラツキ、各加入者側装置と局側装置１との間の光ファイバの伝送路距離の違い、上り信号が通過する光スプリッタなどによって、その遅延時間が異なる。すなわち、たとえばすべての加入者側装置２−１〜２−ｎが同時に上り信号＃１〜＃ｎを送信したとしても、それらが局側装置１に到達する時間はそれぞれ異なる。このため、局側装置１が各加入者側装置から受信する上り信号（バースト信号）の位相が、予め想定される位置よりも前後に揺らぐことがある。そこで、局側装置１は、受信したバースト信号の位相を制御してサンプリングすることによって、バースト信号を正確に再生する。
【００２１】
図２は、図１に示した局側装置１の構成を示すブロック図である。図２において、この局側装置１は、上位層回路部および制御部１１、レベル調整回路１２、ＬＤドライバ１３、レーザダイオード（ＬＤ）１４、波長分割多重フィルタ（ＷＤＭフィルタ）１５、アバランシェフォトダイオード（ＡＰＤ）１６、バイアス電源１７、プリアンプ１８、ポストアンプ１９、エッジ検出回路２０、制御量設定部２１、位相制御部２２、フリップフロップ２３およびクロック発生回路２４を備える。
【００２２】
局側装置１と加入者側装置２−１〜２−ｎとの間で、一芯の光ファイバを介して上り方向（波長：１．３１μｍ）と下り方向（波長：１．４９μｍ）の双方向通信が行なわれる。このように、上り方向と下り方向で波長の異なる光信号を用いることによって、１本の光ファイバで双方向伝送が行なわれる。
【００２３】
上位層回路部および制御部１１からの下り方向の送信信号は、レベル調整回路１２によって信号レベルが安定化されて、ＬＤドライバ１３に与えられる。ＬＤドライバ１３はレベル調整回路１２の出力信号に応じてレーザダイオード１４を駆動し、レーザダイオード１４から波長分割多重フィルタ１５に光信号が出力される。波長分割多重フィルタ１５は、レーザダイオード１４からの光信号を、下り信号として光ファイバを介して加入者側装置２−１〜２−ｎに与える。
【００２４】
加入者側装置２−１〜２−ｎから受信した上り信号（バースト信号）は、光ファイバを介して波長分割多重フィルタ１５に与えられる。アバランシェフォトダイオード１６は、波長分割多重フィルタ１５からのバースト信号を光／電気変換する。バイアス電源１７は、アバランシェフォトダイオード１６にバイアス電圧を印加する。アバランシェフォトダイオード１６の出力信号は、プリアンプ１８およびポストアンプ１９によって必要なレベルまで増幅される。ポストアンプ１９の出力バースト信号ＢＤはエッジ検出回路２０および位相制御部２２に与えられる。クロック発生回路２４は、クロック信号ＣＬＫを生成してエッジ検出回路２０、位相制御部２２、フリップフロップ２３、上位層回路部および制御部１１に与える。
【００２５】
エッジ検出回路２０は、ポストアンプ１９からのバースト信号ＢＤとクロック発生回路２４からのクロック信号ＣＬＫの位相を比較し、それらの位相差φを示す位相差信号を制御量設定部２１に与える。制御量設定部２１は、エッジ検出回路２０からの位相差信号に基づいて、バースト信号の受信エラーの発生する可能性があるか否か、すなわち、バースト信号の位相を補正する必要があるか否かを判定し、その判定結果に基づいて、位相制御量を設定するための制御信号ＣＮＴを出力する。位相制御部２２は、制御量設定部２１からの制御信号ＣＮＴおよびクロック発生回路２４からのクロック信号ＣＬＫに基づいて、ポストアンプ１９からのバースト信号ＢＤの位相を制御してフリップフロップ２３に出力する。フリップフロップ２３は、クロック発生回路２４からのクロック信号ＣＬＫに同期して動作し、位相制御部２２からのバースト信号をサンプリングして上位層回路部および制御部１１に与える。上位層回路部および制御部１１は、フリップフロップ２３の出力信号を受け、受信したバースト信号を再生する。
【００２６】
図３（Ａ）（Ｂ）（Ｃ）は、この発明のポイントとなるエッジ検出回路２０、制御量設定部２１および位相制御部２２の動作を説明するための波形図である。図３（Ａ）はバースト信号ＢＤの位相の揺らぎが小さい場合の波形図であり、図３（Ｂ）はバースト信号ＢＤの位相がクロック信号ＣＬＫの位相よりも大きく進んでいる場合（バースト信号ＢＤの位相の揺らぎが大きい場合）の波形図であり、図３（Ｃ）はバースト信号ＢＤの位相がクロック信号ＣＬＫの位相よりも大きく遅れている場合（バースト信号ＢＤの位相の揺らぎが大きい場合）の波形図である。
【００２７】
図３（Ａ）（Ｂ）（Ｃ）において、クロック信号ＣＬＫの周期を２Ｔ（たとえば、Ｔ＝０．４ｎｓ）とし、バースト信号ＢＤ（＃１）〜ＢＤ（＃３）のビット幅を２Ｔする。図３（Ａ）において、バースト信号ＢＤ（＃１）のデータ変化点Ｐ１の時刻ｔ１１から所定のセットアップ時間Ｔsetup（＜Ｔ）経過後の時刻をｔ１２とし、データ変化点Ｐ２の時刻ｔ１４よりも所定のホールド時間Ｔhold（＜Ｔ）だけ前の時刻をｔ１３とする。図３（Ｂ）において、バースト信号ＢＤ（＃２）のデータ変化点Ｐ１の時刻ｔ２１から所定のセットアップ時間Ｔsetup経過後の時刻をｔ２２とし、データ変化点Ｐ２の時刻ｔ２４よりも所定のホールド時間Ｔholdだけ前の時刻をｔ２３とする。図３（Ｃ）において、バースト信号ＢＤ（＃３）のデータ変化点Ｐ１の時刻ｔ３１から所定のセットアップ時間Ｔsetup経過後の時刻をｔ３２とし、データ変化点Ｐ２の時刻ｔ３４よりも所定のホールド時間Ｔholdだけ前の時刻をｔ３３とする。エッジ検出回路２０は、クロック信号ＣＬＫの立上がり時刻ｔ１と、バースト信号ＢＤ（＃１）〜ＢＤ（＃３）のデータ変化点Ｐ２の時刻ｔ１４〜ｔ３４との差（位相差）φ１〜φ３を示す位相差信号を出力する。制御量設定部２１は、エッジ検出回路２０からの位相差信号に基づいて、バースト信号の受信エラーの発生する可能性があるか否か、すなわち、バースト信号の位相を補正する必要があるか否かを判定し、その判定結果に基づいて、位相制御量を設定するための制御信号ＣＮＴを出力する。具体的には、エッジ検出回路２０からの位相差信号によって示される位相差φが所定の範囲内（Ｔhold＜φ＜（２Ｔ−Ｔsetup））である場合は、バースト信号の受信エラーの発生する可能性がない、すなわち、バースト信号の位相を補正する必要がないと判定して出力制御信号ＣＮＴを“０”に設定する。一方、位相差信号によって示される位相差φが所定の範囲外（φ＜Ｔholdまたはφ＞（２Ｔ−Ｔsetup））である場合は、バースト信号の受信エラーの発生する可能性がある、すなわち、バースト信号の位相を補正する必要があると判定して出力制御信号ＣＮＴを“１”に設定する。
【００２８】
すなわち、図３（Ａ）に示すように、クロック信号ＣＬＫの立上がり時刻ｔ１と、バースト信号ＢＤ（＃１）のデータ変化点Ｐ２の時刻ｔ１４との差（位相差）φ１が所定の範囲内（Ｔhold＜φ１＜（２Ｔ−Ｔsetup））である場合、制御量設定部２１はバースト信号の位相を補正する必要がないと判定して出力制御信号ＣＮＴを“０”に設定する。一方、図３（Ｂ）に示すように、クロック信号ＣＬＫの立上がり時刻ｔ１と、バースト信号ＢＤ（＃２）のデータ変化点Ｐ２の時刻ｔ２４との差（位相差）φ２が所定の範囲外（φ２＜Ｔhold）である場合、制御量設定部２１はバースト信号の位相を補正する必要があると判定して出力制御信号ＣＮＴを“１”に設定する。また、図３（Ｃ）に示すように、クロック信号ＣＬＫの立上がり時刻ｔ１と、バースト信号ＢＤ（＃３）のデータ変化点Ｐ２の時刻ｔ３４との差（位相差）φ３が所定の範囲外（φ３＞（２Ｔ−Ｔsetup））である場合、制御量設定部２１はバースト信号の位相を補正する必要があると判定して出力制御信号ＣＮＴを“１”に設定する。
【００２９】
位相制御部２２は、制御量設定部２１からの制御信号ＣＮＴが“０”に設定されている場合は、ポストアンプ１９からのバースト信号ＢＤをそのまま通過させてフリップフロップ２３に与える。一方、制御量設定部２１からの制御信号ＣＮＴが“１”に設定されている場合は、クロック信号ＣＬＫの立上がり時刻と、バースト信号ＢＤのデータ変化点Ｐ２の時刻との差（位相差）φがＴ（バースト信号ＢＤのビット幅２Ｔの半分）になるように、ポストアンプ１９からのバースト信号ＢＤの位相を制御する。すなわち、位相制御部２２から出力されるバースト信号のデータ変化点Ｐ１，Ｐ２間の中心が、クロック信号ＣＬＫの立上がりエッジと同じタイミングになるように、バースト信号をクロック信号ＣＬＫに同期させる。
【００３０】
フリップフロップ２３は、クロック発生回路２４からのクロック信号ＣＬＫに同期して動作し、クロック信号ＣＬＫの立上がりエッジにおいて、位相制御部２２からのバースト信号をサンプリングする。すなわち、図３（Ａ）に示したように受信したバースト信号の位相の揺らぎが小さい場合は、バースト信号のデータ変化点Ｐ１，Ｐ２間の中心（データ安定部分）付近でサンプリングされる。また、図３（Ｂ）（Ｃ）に示したように受信したバースト信号の位相の揺らぎが大きい場合は、位相制御部２２によってバースト信号の位相が制御されることによって、バースト信号のデータ変化点Ｐ１，Ｐ２間の中心（データ安定部分）でサンプリングされる。したがって、図３（Ｂ）（Ｃ）に示したように受信したバースト信号の位相の揺らぎが大きい場合において、バースト信号のデータ変化点Ｐ１、Ｐ２付近（データ不安定部分）でサンプリングされるのが防止される。このため、受信したバースト信号を正確に再生することができる。
【００３１】
上位層回路部および制御部１１は、加入者側装置２−１〜２−ｎの各々に対応したＩＤ情報や制御情報（制御信号ＣＮＴの設定値など）、送信時刻情報（各加入者側装置がバースト信号を送信する時刻情報）などが記憶されたＩＤテーブルを含む。制御量設定部２１は、ある特定の加入者側装置と１対１の通信を行なうユニキャストモードにおいて、ＩＤテーブルから通信相手の制御情報を読出したり、ＩＤテーブルに通信相手の制御情報を書込んだりする。上位層回路部および制御部１１は、加入者側装置への送信動作を開始すると送信フレームの通信モードを確認し、ユニキャストモードおよびユニキャストモード以外の通信モードに対応した動作を行なう。また、上位層回路部および制御部１１の上位層回路部は、たとえばＣＲＣ（巡回冗長検査）エラー信号に基づいて、バースト信号の受信エラーが発生しているか否かを判別する機能を有する。
【００３２】
図４は、送信フレームの構成を示す図である。図４において、この送信フレームは、ユニキャストモードやマルチキャストモードなどの通信モード情報、通信相手の加入者側装置のＩＤ情報（ＬＬＩＤ）、送信するデータ情報などを含む。
【００３３】
図５は、ユニキャストモードにおける局側装置１の動作を説明するためのフローチャートである。図５を参照して、ステップＳ１において、制御量設定部２１は送信フレームのＬＬＩＤを確認してステップＳ２に進む。ステップＳ２において、ＩＤテーブルを参照し、確認したＬＬＩＤに対応する過去の制御信号ＣＮＴの設定値があるか否かを判定する。ここで、過去の制御信号ＣＮＴの設定値がないと判定された場合は（ＮＯ）、ステップＳ３に進んで制御信号ＣＮＴを“０”に予め設定する。一方、過去の制御信号ＣＮＴの設定値があると判定された場合は（ＹＥＳ）、ステップＳ４に進む。ステップＳ４において、過去の制御信号ＣＮＴの設定値が“１”であったか否かを判定する。ここで、過去の制御信号ＣＮＴの設定値が“１”でなかったと判定された場合は（ＮＯ）、ステップＳ３に進んで制御信号ＣＮＴを“０”に予め設定する。
【００３４】
ステップＳ３において制御信号ＣＮＴが“０”に設定された後、ステップＳ５に進んで通信相手の加入者側装置からバースト信号を受信する。次いで、ステップＳ６において、上位層回路部は、たとえばＣＲＣエラー信号に基づいて、バースト信号の受信エラーが発生しているか否かを判別する。ここで、受信エラーが発生していない場合は（ＮＯ）、制御信号ＣＮＴ＝“０”のままでバースト信号の受信動作を続けてステップＳ９に進む。一方、受信エラーが発生している場合は（ＹＥＳ）、ステップＳ７に進む。ステップＳ７において、制御量設定部２１はエッジ検出回路２０からの位相差信号に基づいて、バースト信号の位相を補正する必要があるか否かを判定する。具体的には、位相差信号によって示される位相差φが所定の範囲内（Ｔhold＜φ＜（２Ｔ−Ｔsetup））である場合は（ＹＥＳ）、バースト信号の位相を補正する必要がないと判定し、制御信号ＣＮＴ＝“０”のままでバースト信号の受信動作を続ける。一方、位相差信号によって示される位相差φが所定の範囲外（φ＜Ｔholdまたはφ＞（２Ｔ−Ｔsetup））である場合は（ＮＯ）、バースト信号の位相を補正する必要があると判定し、ステップＳ８に進んで制御信号ＣＮＴを“１”に設定変更して、バースト信号の受信動作を続ける。次に、ステップＳ９において、制御信号ＣＮＴの設定値をＩＤテーブルに書込んで、動作を終了する。
【００３５】
また、ステップＳ４において、過去の制御信号ＣＮＴの設定値が“１”であったと判定された場合は（ＹＥＳ）、ステップＳ１０に進んで制御信号ＣＮＴを“１”に予め設定する。次に、ステップＳ１１に進んで通信相手の加入者側装置からバースト信号を受信する。次いで、ステップＳ１２において、上位層回路部は、たとえばＣＲＣエラー信号に基づいて、バースト信号の受信エラーが発生しているか否かを判別する。ここで、受信エラーが発生していない場合は（ＮＯ）、制御信号ＣＮＴ＝“１”のままでバースト信号の受信動作を続けてステップＳ１５に進む。一方、受信エラーが発生している場合は（ＹＥＳ）、ステップＳ１３に進む。ステップＳ１３において、制御量設定部２１はエッジ検出回路２０からの位相差信号に基づいて、バースト信号の位相を補正する必要があるか否かを判定する。具体的には、位相差信号によって示される位相差φが所定の範囲外（φ＜Ｔholdまたはφ＞（２Ｔ−Ｔsetup））である場合は（ＮＯ）、バースト信号の位相を補正する必要があると判定し、制御信号ＣＮＴ＝“１”のままでバースト信号の受信動作を続ける。一方、位相差信号によって示される位相差φが所定の範囲内（Ｔhold＜φ＜（２Ｔ−Ｔsetup））である場合は（ＹＥＳ）、バースト信号の位相を補正する必要がないと判定し、ステップＳ１４に進んで制御信号ＣＮＴを“０”に設定変更して、バースト信号の受信動作を続ける。次に、ステップＳ１５において、制御信号ＣＮＴの設定値をＩＤテーブルに書込んで、動作を終了する。
【００３６】
図６は、ユニキャストモード以外の通信モードにおける局側装置１の動作を説明するためのフローチャートである。ユニキャストモード以外の通信モード、すなわちマルチキャストモードやブロードキャストモードである場合は、どの加入者側装置からバースト信号を受信するかが不明であるため、ＩＤテーブルは使用しない。
【００３７】
図６を参照して、ステップＳ２１において、制御量設定部２１は制御信号ＣＮＴを“０”に予め設定する。次に、ステップＳ２２に進んで、ある加入者側装置からのバースト信号を受信する。ステップＳ２３において、上位層回路部は、たとえばＣＲＣエラー信号に基づいて、バースト信号の受信エラーが発生しているか否かを判別する。ここで、受信エラーが発生していない場合は（ＮＯ）、制御信号ＣＮＴ＝“０”のままでバースト信号の受信動作を続ける。一方、受信エラーが発生している場合は（ＹＥＳ）、ステップＳ２４に進む。ステップＳ２４において、制御量設定部２１はエッジ検出回路２０からの位相差信号に基づいて、バースト信号の位相を補正する必要があるか否かを判定する。具体的には、位相差信号によって示される位相差φが所定の範囲内（Ｔhold＜φ＜（２Ｔ−Ｔsetup））である場合は（ＹＥＳ）、バースト信号の位相を補正する必要がないと判定し、制御信号ＣＮＴ＝“０”のままでバースト信号の受信動作を続ける。一方、位相差信号によって示される位相差φが所定の範囲外（φ＜Ｔholdまたはφ＞（２Ｔ−Ｔsetup））である場合は（ＮＯ）、バースト信号の位相を補正する必要があると判定し、ステップＳ２５に進んで制御信号ＣＮＴを“１”に設定変更して、バースト信号の受信動作を続ける。受信動作が終了すると、加入者側装置へ受信が完了したことを通知する。
【００３８】
以上のように、この一実施の形態では、局側装置１が各加入者側装置から受信した上り信号（バースト信号）の位相の揺らぎが大きい場合でも、受信したバースト信号の位相が自動的に制御されて、バースト信号のデータ安定部分でサンプリングされる。このため、バースト信号を正確に再生することできる。
【００３９】
また、この局側装置１は、クロック発生回路２４によって生成された１つのクロック信号ＣＬＫに基づいて、受信したバースト信号の位相を制御する構成であるため、複数のクロック信号を生成していた従来の装置（特許文献１参照）に比べて簡易な構成であり、装置の小型化および低消費電力化が実現できる。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４１】
【図１】この発明の一実施の形態によるＰＯＮ光システムの概略構成を示すブロック図である。
【図２】図１に示した局側装置の構成を示すブロック図である。
【図３】図２に示したエッジ検出回路、制御量設定部および位相制御部の動作を説明するための波形図である。
【図４】送信フレームの構成を示す図である。
【図５】ユニキャストモードにおける局側装置の動作を説明するためのフローチャートである。
【図６】ユニキャストモード以外の通信モードにおける局側装置１の動作を説明するためのフローチャートである。
【符号の説明】
【００４２】
１  局側装置、２―１〜２−ｎ  加入者側装置、３−１〜３−３  光スプリッタ、１１  上位層回路部および制御部、１２  レベル調整回路、１３  ＬＤドライバ、１４  レーザダイオード、１５  波長分割多重フィルタ、１６  アバランシェフォトダイオード、１７  バイアス電源、１８  プリアンプ、１９  ポストアンプ、２０  エッジ検出回路、２１  制御量設定部、２２  位相制御部、２３  フリップフロップ、２４  クロック発生回路。
【図１】
2006148650.tif 000003
【図２】
2006148650.tif 000004
【図３】
2006148650.tif 000005
【図４】
2006148650.tif 000006
【図５】
2006148650.tif 000007
【図６】
2006148650.tif 000008